(57)【要約】      （修正有）【課題】蓄圧バルブが安定して且つ感度良く動き、しかも部品点数が少ない蓄圧バルブを提供することであり、またそれを組み込んだ蓄圧式トリガースプレイヤーを提供すること。【解決手段】ピストン部１１によりシリンダ部３内の液に圧を加えノズル部５ａから外部に液を噴射する蓄圧式トリガースプレイヤー１００に使用する蓄圧バルブであって、該蓄圧バルブが、ピストンバルブ部２１と、該ピストンバルブ部２１をピストン弁座１１ｃに押圧するバネ部２２と、該バネ部２２をピストン部１１に取り付けるための取付け部２３とよりなり、これらピストンバルブ部２１とバネ部２２と取付け部２３とが一体に成形されている蓄圧バルブ。【選択図】図４
2013057311.tif 000002
【特許請求の範囲】
【請求項１】
ピストン部によりシリンダ内の液に圧を加えノズル部から外部に液を噴射する蓄圧式スプレイヤーに使用する蓄圧バルブであって、該蓄圧バルブが、ピストンバルブ部と、該ピストンバルブ部をピストン弁座に押圧するバネ部と、該バネ部をピストン部に取り付けるための取付け部とよりなり、これらピストンバルブ部とバネ部と取付け部とが一体に成形されていることを特徴とする蓄圧バルブ。
【請求項２】
前記ピストンバルブ部の周囲には上下２段の鍔部がそれぞれ同じ方向に向いて形成されていることを特徴とする請求項１記載の蓄圧バルブ。
【請求項３】
前記上下２段の鍔部は、長い第１の鍔部とそれより短い第２の鍔部よりなることを特徴とする請求項２記載の蓄圧バルブ。
【請求項４】
前記バネ部は屈曲された板バネ状であることを特徴とする請求項１記載の蓄圧バルブ。
【請求項５】
前記取付け部は、ピストン部に圧着可能なフランジを有していることを特徴とする請求項１記載の蓄圧バルブ。
【請求項６】
請求項１記載の蓄圧バルブと、
容器に螺合可能なキャップ部と、
該キャップ部の中心に設けられたシリンダ部と、
該シリンダ部に連続するカバー部と、
該カバー部の先端に設けられたノズル部と、
前記シリンダ部内を摺動するピストン部と、
該ピストン部に枢着されカバー部に支承されたトリガーと、
該トリガーを弾発するトリガーバネと、
前記ノズル部に嵌合され前記ピストン部内を流通した液体が吐出される流路部先端と、
を備えたことを特徴とする蓄圧式トリガースプレイヤー。
【請求項７】
前記キャップ部、前記シリンダ部、前記カバー部及び前記ノズル部が一体となっている請求項６記載の蓄圧式トリガースプレイヤー。
【請求項８】
前記ピストン部、前記トリガー部、前記トリガーバネ、トリガーストッパー、及び前記流路部先端が一体となっている請求項７に記載の蓄圧式トリガースプレイヤー。
【発明の詳細な説明】
【技術分野】
【０００１】
本発明は、蓄圧機能を有するスプレイヤーに関し、より詳しくは、蓄圧部の機能を高め且つ部品点数を減らすことができる蓄圧式トリガースプレイヤーまたその蓄圧バルブに関する。
【背景技術】
【０００２】
容器に収容された液体を所望の位置に吹き付ける装置として従来からスプレイヤーが知られている。
かかるスプレイヤーは、ピストンとシリンダを備えており、該ピストンをトリガーを介して、或いは直接的に動かし、ピストン内の加圧、減圧作用による圧力変化を利用して液体をノズルから噴射させる装置であり、近年、蓄圧式のものも含めて数多く開発されている。
【０００３】
特に蓄圧式のものは、シリンダ内が一定圧より高くなった時に一挙に液体をノズルから噴射するものであり、蓄圧されない直圧式のスプレイヤーと異なって、噴射圧が常に一定となる特性がある。
そのため均一な噴射ができることから、近年、特に注力されてきている。
この蓄圧式のスプレイヤーは、通常、蓄圧機能を付与するためのバルブを備えている。
この例として、ピストンバルブと該ピストンバルブをピストン弁座に押圧するバネ体と、これらを収納するピストンカバーよりなる蓄圧バルブを部品として備えたディスペンサーが、開発されている（例えば、特許文献１参照）。
【先行技術文献】
【特許文献】
【０００４】
【特許文献１】特開２００９−１６０５７３号公報
【発明の概要】
【発明が解決しようとする課題】
【０００５】
しかしながら、上記のようなスプレイヤーの蓄圧バルブにおいては、ピストンバルブに横振れが生じ、その動きが必ずしも十分に安定したものとはいえなかった。
また蓄圧バルブ自体が複数の構成部品からなることから、その分、組み付け工数が増えるという問題があった。
一方、このピストンバルブの安定した動きを得るために、発明者はピストンバルブの周囲に、上リップ部と下リップ部とを互いに相反する方向に形成することを試みた。
しかし、これもピストンバルブの安定性の観点からは優れているが、ピストンバルブの下方への俊敏な動き（すなわち弁座から離れる感度の良い動き）という観点からは、十分満足できるものではなかった。
【０００６】
本発明は上記事情に鑑みてなされたものであり、本発明の目的は蓄圧バルブが安定して且つ感度良く動き、しかも部品点数が少ない蓄圧バルブを提供することであり、またそれを組み込んだ蓄圧式トリガースプレイヤーを提供することを目的とする。
【課題を解決するための手段】
【０００７】
本発明者は、上記課題を解決するため鋭意検討したところ、蓄圧バルブを構成する部品を一体化することにより蓄圧バルブの動きが良くなることを見出し、これをヒントに、本発明を完成するに至った。
【０００８】
即ち、本発明は、（１）、ピストン部によりシリンダ内の液に圧を加えノズル部から外部に液を噴射する蓄圧式スプレイヤーに使用する蓄圧バルブであって、該蓄圧バルブが、ピストンバルブ部と、該ピストンバルブ部をピストン弁座に押圧するバネ部と、該バネ部をピストン部に取り付けるための取付け部とよりなり、これらピストンバルブ部とバネ部と取付け部とが一体に成形されている蓄圧バルブに存する。
【０００９】
また、本発明は、（２）、前記ピストンバルブ部の周囲には上下２段の鍔部がそれぞれ同じ方向に向いて形成されている上記（１）記載の蓄圧バルブに存する。
【００１０】
また、本発明は、（３）、前記上下２段の鍔部は、長い第１の鍔部とそれより短い第２の鍔部よりなる上記（２）記載の蓄圧バルブに存する。
【００１１】
また、本発明は、（４）、前記バネ部は屈曲された板バネ状である上記（１）記載の蓄圧バルブに存する。
【００１２】
また、本発明は、（５）、前記取付け部は、ピストン部に圧着可能なフランジを有している上記（１）記載の蓄圧バルブに存する。
【００１３】
また、本発明は、（６）、上記（１）記載の蓄圧バルブと、容器に螺合可能なキャップ部と、該キャップ部の中心に設けられたシリンダ部と、該シリンダ部に連続するカバー部と、該カバー部の先端に設けられたノズル部と、前記シリンダ部内を摺動するピストン部と、該ピストン部に枢着されカバー部に支承されたトリガーと、該トリガーを弾発するトリガーバネと、前記ノズル部に嵌合され前記ピストン部内を流通した液体が吐出される流路部先端と、を備えた蓄圧式トリガースプレイヤーに存する。
【００１４】
また、本発明は、（７）、前記キャップ部、前記シリンダ部、前記カバー部及び前記ノズル部が一体となっている上記（６）記載の蓄圧式トリガースプレイヤーに存する。
【００１５】
また、本発明は、（８）、前記ピストン部、前記トリガー部、前記トリガーバネ、トリガーストッパー、及び前記流路部先端が一体となっている上記（７）記載の蓄圧式トリガースプレイヤーに存する。
【００１６】
なお、本発明の目的に沿ったものであれば、上記（１）〜（８）を適宜組み合わせた構成も採用可能である。
【発明の効果】
【００１７】
本発明の蓄圧バルブは、ピストンバルブ部と、該ピストンバルブ部をピストン弁座に押圧するバネ部と、該バネ部をピストン部に取り付けるための取付け部とよりなり、これらが一体に成形されているので、組み付け工数が少なくてすむ。
また蓄圧バルブをトリガー式のスプレイヤーや非トリガー式（直接式）のスプレイヤーのピストン部に取り付けることによりタイプの異なったスプレイヤーに蓄圧機能を付与することができる。
【００１８】
ピストンバルブ部の周囲には上下２段の鍔部がそれぞれ同じ方向に向いて形成されていることにより、バルブ機能として、ピストンバルブ部が下方に移動する際に抵抗が少なく極めて感度の良い動きが得られる。
特に、ピストンバルブ部の先端が本体の弁座から離れる際に感度の良い素早い動きが得られる。
バネ部が屈曲された板バネ状であることにより、組み付けの際、ピストンバルブ部の位置決めがし易い。
またキャップ部、シリンダ部、カバー部、及び前記ノズル部が一体となっているので、部品点数を減らすことができ、全体の組み付けが容易となる。
またピストン部、トリガー部、トリガーバネ、トリガーストッパ、及び流路部先端が一体となっているので、同様な利点がある。
【図面の簡単な説明】
【００１９】
【図１】図１は、本発明の蓄圧バルブの一実施形態を示し、図１（ａ）は側面図であり、図１（ｂ）は、図１（ａ）の断面図であり、図１（ｃ）は上面図である。
【図２】図２はバネ体が側面視で多数重なった長円状である蓄圧バルブを示し、図２（ａ）は側面図であり、図２（ｂ）は、図２（ａ）の断面図である。
【図３】図３はバネ体がコイル状のものである蓄圧バルブを示し、図３（ａ）は側面図であり、図３（ｂ）は、図３（ａ）の断面図である。
【図４】図４は、本実施形態に係る蓄圧式トリガースプレイヤーを示す断面図である。
【図５】図５は、本実施形態に係る蓄圧式トリガースプレイヤーのトリガーを引いた状態を示す断面図である。
【図６】図６は、本発明に係る蓄圧式トリガースプレイヤーの一実施形態を示し、図６（ａ）は側面図であり、図６（ｂ）は、図６（ａ）の正面図である。
【図７】図７は、本実施形態に係る蓄圧式トリガースプレイヤーにおける第１部材を示す断面図である。
【図８】図８は、本実施形態に係る蓄圧式トリガースプレイヤーにおける第２部材を示し、図８（ａ）は側面図であり、図８（ｂ）は、図８（ａ）の上面図である。
【図９】図９は、図８（ｂ）におけるＸ−Ｘ線で切断した部分断面図である。
【図１０】図１０は、本実施形態に係る蓄圧式トリガースプレイヤーにおけるＦバルブを示し、図１０（ａ）は、側面図であり、図１０（ｂ）は、図１０（ａ）の上面図である。
【図１１】図１１は、蓄圧バルブを水平方向に配設した蓄圧式トリガースプレイヤーを示す断面図である。
【図１２】図１２は、蓄圧バルブを傾斜して配設した蓄圧式トリガースプレイヤーを示す断面図である。
【図１３】図１３は、ピストンの軸芯上に押圧部がある直接式のスプレイヤーを示す断面図である。
【発明を実施するための形態】
【００２０】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２１】
図１は、本発明に係る蓄圧バルブの一実施形態を示し、図１（ａ）は側面図であり、図１（ｂ）は、図１（ａ）の断面図であり、図１（ｃ）は上面図である。
まず蓄圧バルブＳについて述べる。
図１に示すように、本発明の蓄圧バルブＳは、弁体に相当するピストンバルブ部２１と、バネ部２２と、取付け部２３とよりなり、これら３つの部分が一体となって形成されている。
これら３つの部分は合成樹脂材（例えばＰＰ、ＰＥ等）でできており、その一体化は、射出成形により成形可能である。
【００２２】
ここでピストンバルブ部２１は中空円筒状となっており、その上端はピストン部１１にある弁座１１ｃに当接する弁となる部分である。
そしてピストンバルブ部２１は、その周囲に形成された上下２段の鍔部を備えており、それらの向きはそれぞれ同じ方向に形成されている。
このように上下２段の鍔部が同じ向きに（図でいう上向きに）形成されていることにより、後述するように、ピストンバルブ部２１が下方に移動する際に抵抗が少なく極めて感度の良い動きが行える。
【００２３】
この上下２段の鍔部は、長い第１鍔部２１ａとそれより短い第２鍔部２１ｂとよりなるものである。
長い第１鍔部２１ａは主として上方から液が入るのを封じる役割を果たし、短い第２鍔部２１ｂは更にそれを確実にするものである。
またこの長い第１鍔部２１ａと短い第２鍔部２１ｂはピストンバルブ部２１の横振れを防止する役割を果たす。
また、バネ部２２はピストンバルブ部２１の下端部から下方に伸びており、組み込まれた状態では、このバネ部２２によりピストンバルブ部先端（弁に相当）は付勢されてピストン部１１の弁座１１ｃを押圧することとなる。
このバネ部２２は必ずしも図のように屈曲した板バネ状のものでなくても、弾発性を有するものであればよい。
【００２４】
例えば、その変形例を図２及び図３に示す。
図２はバネ体が側面視で多数重なった長円状である蓄圧バルブＳを示し、図２（ａ）は側面図であり、図２（ｂ）は、図２（ａ）の断面図である。
図３はバネ体がコイル状のものである蓄圧バルブＳを示し、図３（ａ）は側面図であり、図３（ｂ）は、図３（ａ）の断面図である。
【００２５】
バネ部２２の下部には蓄圧バルブＳをピストン部２１に取り付けるための取付け部２３が形成されている。
この取り付け部２３は、蓋状になっておりフランジ２３ａを有する。
この取り付け部２３をピストン部１１（詳しくはピストン内シリンダ部１１ｄ）に圧入することにより蓄圧バルブ全体がピストン部１１に取り付けられる。
フランジ２３ａは取り付け部２３をピストン部１１に圧入すると当たって止まる部分である。
組み付けする際は、例えば、取り付け部２３を持ってピストンバルブ部２１の方からピストン内シリンダ部１１ｄに挿入する。
【００２６】
図１に示す蓄圧バルブＳのように屈曲した板バネの場合は、図３のコイル状のものと異なって、取り付け部２３を持った状態で、ピストンバルブ部２１が全方向に振れることがなく、組み付けの際の位置決めがし易い利点がある。
【００２７】
一方、蓄圧バルブＳがピストン内シリンダ部１１ｄに取り付けられた状態では、そのピストンバルブ部２１が下方に移動する際に抵抗が少なく極めて感度の良い動きが行える。
特に、ピストンバルブ部２１の先端がピストン部１１の弁座１１ｃから離れる際に素早い動きが得られる。
因みに、従来の蓄圧バルブではこのピストンバルブ部２１の動きが必ずしも、本発明ほど俊敏に行えない。
すなわち鍔部が１つしか備わっていない場合はピストンバルブ部が横振れ易く、上下移動する際、軸心が安定しないのである。
【００２８】
また、鍔部を２つ備えたものであっても、その向きが互いに異なったものであると、ピストンバルブ部が下方に移動する際に抵抗が大きくなり、弁体であるピストンバルブ部の先端が、本体の弁座から離れる際に感度の良い素早い動きが得られない。
蓄圧バルブＳは上述したように、トリガースプレイヤーに組み込まれて優れた蓄圧機能を発揮するのである。
次に、蓄圧バルブＳを組み込んだ蓄圧式トリガースプレイヤー全体について述べる。
【００２９】
図４は、本発明の係る蓄圧バルブＳが組み込まれた蓄圧式トリガースプレイヤーを示す断面図である
図５は、蓄圧式トリガースプレイヤーのトリガーを引いた状態を示す断面図である。
尚、図４及び図５は、必ずしも、図７に示す一体化された第１部材１０１、及び図８に示す一体化された第２部材１０２を示した図ではない。
図６（ａ）は、本発明に係る蓄圧式トリガースプレイヤーを示す側面図であり、図６（ｂ）は、図６（ａ）の正面図である。
【００３０】
図４、図５に示すように、蓄圧式トリガースプレイヤー１００は、容器１に螺合可能なキャップ部２と、該キャップ部２の中心に設けられたシリンダ部３と、該シリンダ部３に連続するカバー部４と、該カバー部４の先端に設けられたノズル部５ａと、シリンダ部３内を摺動するピストン部１１と、該ピストン部１１に枢着されカバー部に支承されたトリガー１２と、該トリガー１２を弾発するトリガーバネ１２ａと、ノズル部５ａに嵌合されピストン部１１内を流通した液体が吐出される流路部先端５ｂと、ピストン部１１内の液体の流路を開閉する蓄圧バルブＳ（この蓄圧バルブＳは、ピストンバルブ部２１と、ピストンバルブ部を上方に付勢するバネ部２２と、シリンダ部３にバネ部２２を固定する取り付け２３よりなる）と、蓄圧バルブＳの下方に配設され、シリンダ部３内の液体の流路を開閉するＦバルブ２４と、を備える。
【００３１】
この蓄圧式トリガースプレイヤー１００は、トリガー１２を引いて回動させると、トリガー１２の回動に連動してシリンダ部３内のピストン部１１が下方に摺動し、該ピストン部１１の摺動に基づいて、シリンダ部３内の液体が加圧される。
そしてピストン部１１内の液体に一定の圧力が蓄圧されると、蓄圧バルブＳのピストンバルブ部２１が下がり、これにより弁が開く。
すなわちピストンバルブ部２１の先端とピストン部１１の弁座１１Ｃとの間に間隙が生じる。
すると蓄圧された液体は、通孔Ｐとこの間隙を通過し、またピストン部１１の長い細首状の流路部１１ｂを通って流路部先端５ｂに達する。
そしてノズル部５ａから外部に噴射される。
その後、外部への噴射によりピストン部１１内が放圧され、所定の圧力になると、再び弁が閉じることとなる。
【００３２】
このように蓄圧式トリガースプレイヤー１００においては、蓄圧バルブＳによって液体の流通が確実に遮断されるので、液垂れも防止することができる。
【００３３】
また、液体の噴射後、トリガー１２を開放すると、トリガー１２に接続されたトリガーバネ１２ａの復帰力によって、トリガー１２が元の位置に戻ると共に、ピストン部１１がシリンダ部３内を上方に摺動し、ピストン部１１が引き上げられる（この時、蓄圧バルブＳは閉じている）。
そうすると、シリンダ部３内の空間が負圧となるので、負圧を解消するために容器１内の液体が吸上げられ、シリンダ部１１内に液体が充填されることになる。
【００３４】
蓄圧式トリガースプレイヤー１００においては、このような操作が繰り返されることにより、一定量の液体が、ノズル部５ａから繰り返して噴射されることになる。
このように、上記蓄圧式トリガースプレイヤー１００は、簡単な構造でありながら、確実に一定量の液体を噴射することができる。
【００３５】
ここで、本発明の蓄圧式トリガースプレイヤー１００においては、部品点数が４個と従来に比べて少なく、組み付けが極めて容易となっている。
この利点についても述べる。
本実施形態に係る蓄圧式トリガースプレイヤー１００においては、キャップ部２、シリンダ部３、カバー部４及びノズル部５ａが一体となっており（図７参照）、更にピストン部１１、トリガー１２、トリガーバネ１２ａ、トリガーストッパ１２ｂ、及び流路部先端５ｂが一体となっている（図８参照）。
これらの一体化については、各部品の材質が合成樹脂材であることから、例えば、射出成形により一体成形が可能である。
すなわち、蓄圧式トリガースプレイヤー１００は、キャップ部２、シリンダ部３、カバー部４及びノズル部５ａが一体となった第１部材と、ピストン部１１、トリガー１２、トリガーバネ１２ａ、トリガーストッパ１２ｂ、及び流路部先端５ｂが一体となった第２部材と、蓄圧バルブＳと、Ｆバルブ２４とからなる。
このように、蓄圧式トリガースプレイヤー１００は、単に４つの部品から構成されているので、従来と比べて組み付け工数が少なくてすむ。
【００３６】
次に第１部材について更に述べる。
図７は、本実施形態に係る蓄圧式トリガースプレイヤーにおける第１部材を示す断面図である。
図７示すように、第１部材１０１は、キャップ部２、シリンダ部３、カバー部４及びノズル部５ａが一体となっている。
【００３７】
キャップ部２は、図示しない容器の口部に螺合により取り付け可能となっている。もっとも螺合以外にもバヨネット構造等によっても取り付け可能である。
したがって、蓄圧式トリガースプレイヤー全体は、キャップ部２を介して容器に対して着脱可能となる。
【００３８】
シリンダ部３は、キャップ部２の中央に内設された円筒状の基部３ａと、該基部３ａから上方に向かって連続して形成された上部３ｂと、基部３ａから下方に向かって連続して形成された円筒状の下部３ｃと、該下部３ｃから下方に延びる導入部３ｄとからなる。
なお、基部３ａは、下部３ｃよりも径が大きくなった円筒状となっている。
また、基部３ａの内部にはピストン部１１及び蓄圧バルブが収容され、上部３ｂの内部にはトリガー１２が収容されるようになっている。
【００３９】
シリンダ部３の上部３ｂにおいて、後端部４ｂにはカバー部４が枢着されており、前端部４ａにはノズル部５ａが枢着されている。
すなわち、シリンダ部３にノズル部５ａとカバー部４がヒンジ結合されている。
したがって、カバー部４及びノズル部５ａを回動させることにより組み付けが容易に行える。
またノズル部５ａには、シリンダ部３から流路部先端５ｂを通って噴射される液体を、例えば、泡状にするフラップ５ｃが設けられている。
【００４０】
シリンダ部３のチューブ状の導入部３ｄは、図示しない容器１内に延びており、容器１内の液体中に浸漬される。
トリガースプレイヤー１００においては、容器１内の液体はこの導入部３ｄを介して吸い上げられシリンダ部３内に流入されることになる。
【００４１】
次に第２部材について更に述べる。
図８（ａ）は、本実施形態に係る蓄圧式トリガースプレイヤーにおける第２部材を示す側面図であり、図８（ｂ）は、図８（ａ）の上面図である。
図８（ａ）に示すように、第２部材１０２は、ピストン部１１、トリガー１２、ストッパー１２ｂ、トリガーバネ１２ａ、及び流路部先端５ｂが一体となっている。
【００４２】
ピストン部１１は、シリンダ３の基部３ａ内を摺動する本体部１１ａと、該本体部１１ａに連続しシリンダ３内の液体が流通する長い細首状の流路部１１ｂとからなる。
また本体部１１ａの内側には通孔Ｐを有するピストン内シリンダ部１１ｄが垂下して形成されている。
なお、このピストン内シリンダ部１１ｄには、蓄圧バルブＳが配設されるようになっている。
【００４３】
トリガー１２は、図８の（ｂ）に示すように、このピストン部１１の流路部１１ｂを挟持するように配置されており、枢着部１３を介して流路部１１ｂに取り付けられている。
【００４４】
図９は、図８（ｂ）におけるＸ−Ｘ線で切断した部分断面図である。
図９に示すように、トリガー１２は、ピストン部１１の流路部１１ｂの枢着部１３に枢着され且つバージンシール１３ａで流路部１１ｂに固定されている。
すなわち、トリガー１２と流路部１１ｂ（すなわちピストン部１１）とは枢着されているもののバージンシール１３ａで両者が固定されている。
この状態ではトリガー１２はピストン部１１に対して当然回動しない。
なお、バージンシール１３ａは、薄膜で円周方向に設けられていることが好ましい。
【００４５】
このように、蓄圧式トリガースプレイヤー１００においては、バージンシール１３ａでトリガー１２とピストン部１１とが固定されているので、第２部材の組み付け時には、トリガー１２の位置が決められると同時に、ピストン部１１の位置が決められる。
そのため、このピストン部１１の位置決めを確実に行うことが可能となる。
【００４６】
また、バージンシール１３ａは、トリガー１２をピストン部１１に対して強制的に回動させることにより、切断されるようになっている。
このため、トリガー１２を最初に手前に引き、バージンシール１３ａを切断することにより、トリガー１２はピストン部１１に対して自由に回動可能となる。
【００４７】
したがって、本実施形態に係る蓄圧式トリガースプレイヤー１００によれば、組み付け時にはトリガー１２とピストン部１１とを一体として組み付けることができ、使用時にはピストン部１１に対してトリガー１２を回動させることが可能となる。
【００４８】
流路部先端５ｂは、矢印Ａ方向に屈曲させて組み付けられる（図４参照）。
そして、流路部先端５ｂは、ノズル部５ａに嵌合され固定されるようになっている。
【００４９】
蓄圧式トリガースプレイヤー１００において、Ｆバルブ２４は、シリンダ部３内の液体の流路を開閉する弁の働きをする。
図１０（ａ）は、本実施形態に係るトリガースプレイヤーにおけるＦバルブを示す側面図であり、図１０（ｂ）は、図１０（ａ）の上面図である。
図１０（ａ）及び図１０（ｂ）に示すように、Ｆバルブ２４は、水平断面が十字状となっているので、流通する液体の流通方向が調整される。
尚、Ｆバルブ２４はシリンダ内壁の図示しないアンダーカットにより上方移動が規制されるようになっている。
【００５０】
本実施形態に係る蓄圧式トリガースプレイヤー１００において、上述した第１部材１０１、第２部材１０２、蓄圧バルブＳ及びＦバルブ２４の材質は、いずれも合成樹脂であり、主として射出成形により製造される。
【００５１】
以上のことから、本実施形態に係る蓄圧式トリガースプレイヤー１００は、第１部材１０１、第２部材１０２、蓄圧バルブＳ、及びＦバルブ２４からなるので、従来のトリガースプレイヤーよりも大きく部品点数を減らすことができ、組み付けが極めて容易となる。
【００５２】
次に、蓄圧式トリガー式スプレイヤー１００の組み付けについて説明する。
本実施形態に係る蓄圧式トリガースプレイヤー１００は、第１部材１０１、第２部材１０２、蓄圧バルブＳ、及びＦバルブ２４を組み付けることによって製造することができる。
すなわち、まず、第１部材１０１のシリンダ部３にＦバルブ２４及び蓄圧バルブを挿入し、次に第２部材１０２の下端部１１ｄから蓄圧バルブＳを圧入する。
そして第２部材１０２のピストン部１１を第１部材１０１のシリンダ部３に圧入する。
そして、流路部先端５ｂを屈曲させ、流路部先端５ｂにノズル部５ａを嵌合させることにより、流路部先端５ｂを固定し、カバー部４を閉じることにより、図４に示す蓄圧式トリガースプレイヤー１００が得られる。
【００５３】
以上、本発明の好適な実施形態について説明したが、本発明は上記実施形態に限定されるものではない。
【００５４】
蓄圧式トリガースプレイヤー１００においては、一体となった部品、すなわち第１部材１０１、第２部材１０２、蓄圧バルブＳとを備えているが、少なくとも蓄圧バルブＳが一体化されていれば、部品点数を減らすことができ、組み付けが容易であり且つ組み付け時の位置決めを確実に行えるという利点を奏することができる。
したがって、第１部材１０１におけるキャップ部２、シリンダ部３、カバー部４及びノズル部５ａは別体であってもよく、第２部材１０２におけるピストン部１１、トリガー１２、トリガーバネ１２ａ、トリガーストッパー１２ｂ、及び流路部先端５ｂが別体であってもよい。
【００５５】
また上述した実施形態ではトリガーストッパー１２ｂがトリガー１２とヒンジを介して一体化したものを採用しているが、トリガーストッパー１２ｂはシリンダ部側にヒンジを介して一体とすることも可能である。
【００５６】
本発明をトリガー式のスプレイヤーにおいては、一体化されて特有の機能を持つ蓄圧バルブＳは、種々のタイプのものに組み込むことができる。
上述した蓄圧式トリガースプレイヤー１００は、シリンダ部３、ピストン部１１及び蓄圧バルブＳは、垂直方向に配設したものであるが、図１１に示す蓄圧式トリガースプレイヤーは、水平方向に配設したものであり、図１２に示す蓄圧式トリガースプレイヤーは、傾斜して配設したものである。
これらの場合は、ピストン部の細首状の流路部１１ｂは、好ましくは屈曲性がないものが採用される。
また本発明をトリガー式のスプレイヤー以外にも、図１３に示すようなピストンの軸芯上に押圧部がある直接式のスプレイヤーにも組み込んで適用できることはいうまでもない。
【産業上の利用可能性】
【００５７】
本発明の蓄圧式トリガースプレイヤーは、トリガーを引くことにより、容器内の液を一定圧で噴射する装置として種々の分野、例えば家庭用、業務用、医療用等に名好適に用いられる。
本発明の蓄圧式トリガースプレイヤーによれば、部品点数を減らすことができ、組み付けが容易であり且つ組み付け時の位置決めを確実に行うことができる。
【符号の説明】
【００５８】
１・・・容器
２・・・キャップ部
３・・・シリンダ部
３ａ・・・基部
３ｂ・・・上部
３ｃ・・・下部
３ｄ・・・導入部
４・・・カバー部
４ａ・・・前端部
４ｂ・・・後端部
５ａ・・・ノズル部
５ｂ・・・流路部先端
５ｃ・・・フラップ
１１・・・ピストン部
１１ａ・・・本体部
１１ｂ・・・流路部
１１ｃ・・・弁座
１１ｄ・・・ピストン内シリンダ部
１２・・・トリガー
１２ａ・・・トリガーバネ
１２ｂ・・・トリガーストッパー
１３・・・枢着部
１３ａ・・・バージンシール
２１・・・ピストンバルブ部
２１ａ・・・第１鍔部
２１ｂ・・・第２鍔部
２２・・・バネ部
２３・・・取付け部
２４・・・Ｆバルブ
１００・・・トリガースプレイヤー
１０１・・・第１部材
１０２・・・第２部材
ｐ・・・通孔
Ｓ・・・蓄圧バルブ
【図１】
2013057311.tif 000003
【図２】
2013057311.tif 000004
【図３】
2013057311.tif 000005
【図４】
2013057311.tif 000006
【図５】
2013057311.tif 000007
【図６】
2013057311.tif 000008
【図７】
2013057311.tif 000009
【図８】
2013057311.tif 000010
【図９】
2013057311.tif 000011
【図１０】
2013057311.tif 000012
【図１１】
2013057311.tif 000013
【図１２】
2013057311.tif 000014
【図１３】
2013057311.tif 000015